(57)【要約】【課題】室内の使用者が戸外との間で頻繁に出入りしたり、暑い室外から寒い室内に入ったりすると、体調を崩したり不快感を覚えたりするという問題がある。【解決手段】本発明の空気調和機は、外気温を検出する外気温検出手段と、室内側空気の吸込み温度を検出する吸込み温度検出手段と、外気温からの温度差を外気温に基づいて選定し外気温と温度差とから目標温度を設定する目標温度設定手段と、目標温度と吸込み温度とに応じて室内温度を制御する温度調整手段とを具備する。【選択図】図２
2008185262.tif 000002
【特許請求の範囲】
【請求項１】
外気温を検出する外気温検出手段と、室内側空気の吸込み温度を検出する吸込み温度検出手段と、外気温からの温度差を外気温に基づいて選定し前記外気温と前記温度差とから目標温度を設定する目標温度設定手段と、前記目標温度と前記吸込み温度とに応じて室内温度を制御する温度調整手段とを具備することを特徴とする空気調和機。
【請求項２】
目標温度を入力する入力手段をさらに備え、目標温度設定手段は、前記外気温と前記温度差とにより設定される目標温度と、前記入力手段により設定させる目標温度とを、外気温に応じて切り替えることを特徴とする請求項１に記載の空気調和機。
【発明の詳細な説明】
【技術分野】
【０００１】
本発明は、空気調和機に関するものである。
【背景技術】
【０００２】
従来、空気調和機においては、外気温とは無関係に使用者の設定した室内の目標温度になるように空気調和機を運転するような態様が一般的であった。すなわち、使用者が室内の目標温度を設定し、空気調和機は室内に配置した温度センサに基づいて室内温度を検出し、この温度検出結果と目標温度との誤差検出結果に基づいて、温度調整するようになっていた。
【０００３】
これでは、室内にいる使用者が空気調和されていない戸外との間で頻繁に出入りしたり、暑い室外から寒いくらいに空気調和されている室内に入ったりすることがあると、人によっては体調を崩したり、不快感を覚えたりといった問題が生じる可能性がある。
【０００４】
それに対して、外気温と室内温度を検出して、外気温に対する相対的な温度設定による空気調和を行うか、室内の絶対的な温度設定による空気調和を行うかを、その温度検出結果により選択できるようにするものがある（例えば、特許文献１参照）。
【０００５】
図５は、上記従来の空気調和機（カーエアコン）のブロック図である。図５に示されるように、温度調整装置２１は、室外温度センサ２２と室内温度センサ２３と制御部２４と温度設定部２６と空調機２８とから構成されている。
【０００６】
室外温度センサ２２は外気温を検出し、この温度検出結果を制御部２４に出力する。室内温度センサ２３は自動車室内の所定位置に配置され、自動車の室内温度を検出し、制御部２４に検出結果を出力する。
【０００７】
温度設定部２６は、コンソールパネル上に配置された操作部を介して、使用者が所望の空気調和を選択し得るようになっており、室内の絶対的な温度と、外気温に対して何度低い温度に設定するかという相対温度との両方を設定し得るようになっている。制御部２４は、使用者により設定された絶対的な温度と相対温度とに応じて、空調機２８を制御する。
【特許文献１】特開平６−８２０７６号公報
【発明の開示】
【発明が解決しようとする課題】
【０００８】
上記従来の空気調和機のように、単に使用者が設定した相対温度に応じた空気調和を行うだけでは、外気温によっては、空気調和が充分でなく暑いと感じる場合や、逆に冷えすぎと感じる場合が生じる可能性がある。
【０００９】
本発明は、上記課題に鑑みてなされたものであり、適度な空気調和を実現することにより、健康や家計にも優しい空気調和機を提供することを目的とする。
【課題を解決するための手段】
【００１０】
上記課題を解決するために、本発明の空気調和機は、外気温を検出する外気温検出手段と、室内側空気の吸込み温度を検出する吸込み温度検出手段と、外気温からの温度差を外気温に基づいて選定し前記外気温と前記温度差とから目標温度を設定する目標温度設定手段と、前記目標温度と前記吸込み温度とに応じて室内温度を制御する温度調整手段とを具
備するものである。
【発明の効果】
【００１１】
本発明の空気調和機によれば、室内にいる使用者が空気調和されていない戸外との間で頻繁に出入りしたり、暑い室外から寒いくらいに空気調和されている室内に入ったりした場合に起こる体調の変化や不快感を減少させることができ、使用者の健康に配慮した空気調和を実現することができる。また、適度な空気調和を行うことにより、家計にも優しい空気調和を実現することができる。
【発明を実施するための最良の形態】
【００１２】
第１の発明は、外気温を検出する外気温検出手段と、室内側空気の吸込み温度を検出する吸込み温度検出手段と、外気温からの温度差を外気温に基づいて選定し前記外気温と前記温度差とから目標温度を設定する目標温度設定手段と、前記目標温度と前記吸込み温度とに応じて室内温度を制御する温度調整手段とを具備するものである。
【００１３】
第２の発明は、第１の発明において、目標温度を入力する入力手段をさらに備え、目標温度設定手段は、前記外気温と前記温度差とにより設定される目標温度と、前記入力手段により設定させる目標温度とを、外気温に応じて切り替えるものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機のブロック図である。
【００１６】
図１において、外気温センサ２は、室外機１１に設けられて外気温を検出する。吸込み温度センサ３は、室内機１２に設けられて室内側空気の吸込み温度を検出することにより、現在の室内温度を検出する。目標温度設定部４は、外気温センサ２で検出される外気温と吸込み温度センサ３で検出される吸込み温度とを入力し、外気温との温度差を外気温に応じて変化させながら目標温度を設定するとともに、目標温度と吸込み温度と入力部６からの入力情報とを、温度調整部５に送出する。
【００１７】
入力部６は、リモコン７に設けられ、室内の絶対的な温度（以下、実温度設定という）に基づく空気調和を行う場合は、使用者が所望する室内の目標温度を設定できるようになっており、また、実温度設定に基づく空気調和と、外気温に対する相対的な温度（以下、温度差設定という）による空気調和の、いずれか一方もしくは両方の運転を選択できるようになっている。
【００１８】
温度調整部５は、目標温度設定部４から得られる情報に基づき、実温度設定または温度差設定のいずれか一方を用いて空気調和を行う。
【００１９】
ここで、本実施の形態における空気調和機の冷房運転時の動作を、図２を用いて説明する。図２は、代表的な外気温の一日の変化（０時から２４時まで）に対して、実温度設定による冷房運転を行う場合と、温度差設定による冷房運転を行う場合の室内温度の変化を示したものである。
【００２０】
図２に示されるように、実温度設定の場合は、外気温に関わらず、使用者により設定された温度（設定温度ＴＢ）に室内温度が制御されている。温度差設定の場合は、外気温が高い場合は温度差Ｔ１を大きく、外気温が低い場合は温度差Ｔ１を小さくしながら、外気温より温度差Ｔ１だけ低い温度（設定温度ＴＡ）になるように、室内温度が制御されてい
る。
【００２１】
なお、使用者の設定した実温度設定の情報を加味し、外気温と実温度設定の差が大きい場合は、それを反映してＴ１を大きめに設定することも可能である。
【００２２】
次に、本実施の形態における空気調和機の暖房運転時の動作を、図３を用いて説明する。図３は、代表的な外気温の一日の変化（０時から２４時まで）に対して、実温度設定による暖房運転を行う場合と、温度差設定による暖房運転を行う場合の室内温度の変化を示したものである。
【００２３】
図３に示されるように、実温度設定の場合は、外気温に関わらず、使用者により設定された温度（設定温度ＴＢ）に室内温度が制御されている。温度差設定の場合は、外気温が高い場合は温度差Ｔ２を小さく、外気温が低い場合は温度差Ｔ２を大きくしながら、外気温より温度差Ｔ２だけ高い温度（設定温度ＴＡ）になるように、室内温度が制御されている。
【００２４】
なお、使用者の設定した実温度設定の情報を加味し、外気温と実温度設定の差が大きい場合は、それを反映してＴ２を大きめに設定することも可能である。
【００２５】
（実施の形態２）
本発明の第２の実施の形態における空気調和機の冷房運転時の動作を、図４を用いて説明する。図４は、代表的な外気温の一日の変化（０時から２４時まで）に対して、実温度設定による冷房運転と温度差設定による冷房運転とを、外気温に応じて切り替えた場合の室内温度の変化を示したものである。
【００２６】
図４に示されるように、本実施の形態においては、外気温が所定温度Ｔ３以上の場合および所定温度Ｔ４未満の場合には温度差設定による冷房運転を行い、外気温が所定温度Ｔ３以上かつＴ４未満の場合には実温度設定による冷房運転を行っている。
【００２７】
本実施の形態において、図２の場合と同様、実温度設定の場合は、外気温に関わらず、使用者により設定された温度（設定温度ＴＢ）に室内温度が制御されている。温度差設定の場合は、外気温が高い場合は温度差Ｔ１を大きく、外気温が低い場合は温度差Ｔ１を小さくしながら、外気温より温度差Ｔ１だけ低い温度（設定温度ＴＡ（点線））になるように、室内温度が制御されている。その結果、室内温度は設定温度ＴＣ（太い実線）となるように温度調整されている。
【００２８】
また、使用者の設定した実温度設定の情報を加味し、外気温と実温度設定の差が大きい場合は、それを反映してＴ１を大きめに設定することも可能である。
【００２９】
なお、本実施の形態においては、外気温がＴ３とＴ４の間にある場合に実温度設定による温度調整を行い、それ以外の場合は温度差設定による温度調整を行う場合について述べたが、本発明はこれに限らず、例えば、室内温度と室外温度との温度差などの情報をさらに参考にしても良い。
【００３０】
また、図２の説明においては、設定温度ＴＡが設定温度ＴＢよりも常に高い場合について説明したが、本発明はこれに限定されず、場合によっては設定温度ＴＢよりも設定温度ＴＡが低くなる場合があっても構わない。
【００３１】
また、図３の説明においては、設定温度ＴＡが設定温度ＴＢよりも常に低い場合について説明したが、本発明はこれに限定されず、場合によっては設定温度ＴＢよりも設定温度
ＴＡが高くなる場合があっても構わない。
【００３２】
また、Ｔ１およびＴ２の設定にあたって、外気温と吸込み温度と実温度設定とを用いる場合を示したが、その他にも、時間やカレンダーの情報、気象情報、過去の操作履歴、使用者により入力される性別や年齢の情報を、時計、センサ、リモコン等により取得し、それらの情報に基づいて温度差設定を行ってもよい。
【００３３】
例えば冷房運転の場合、時間やカレンダーの情報については、湿度の高い時期には温度差設定を大きめに設定する。気象情報については、センサから湿度情報を取り込み、湿度が高い場合は温度差設定を大きめに設定する。過去の履歴については、使用者が室内温度を比較的低めに設定する傾向がある場合は、温度差設定を大きめに設定する。性別や年齢については、使用者が男性より女性、若い人より高齢者の場合の方が、温度差設定を小さめに設定するといったことが考えられる。
【産業上の利用可能性】
【００３４】
本発明は、空気調和機に適用できるものであり、外気温を検出する外気温検出手段と、室内側空気の吸込み温度を検出する吸込み温度検出手段と、外気温からの温度差を外気温に基づいて選定し外気温と温度差とから目標温度を設定する目標温度設定手段と、目標温度と吸込み温度とに応じて室内温度を制御する温度調整手段とを具備することにより、健康にも家計にも優しい空気調和機を実現することができる。
【図面の簡単な説明】
【００３５】
【図１】本発明の実施の形態１における空気調和機のブロック図
【図２】本発明の実施の形態１における空気調和機の冷房運転時の動作説明図
【図３】本発明の実施の形態１における空気調和機の暖房運転時の動作説明図
【図４】本発明の実施の形態２における空気調和機の冷房運転時の動作説明図
【図５】従来の温度差設定による温度調整を行う空気調和機のブロック図
【符号の説明】
【００３６】
２  外気温センサ
３  吸込み温度センサ
４  目標温度設定部
５  温度調整部
６  入力部
７  リモコン
８  空気調和機
１１  室外機
１２  室内機
【図１】
2008185262.tif 000003
【図２】
2008185262.tif 000004
【図３】
2008185262.tif 000005
【図４】
2008185262.tif 000006
【図５】
2008185262.tif 000007